(57)【特許請求の範囲】
【請求項１】
複数のケーブル局を含む通信システム内の分散型障害回復のためのシステムにおいて、
複数のマスタ・コントローラであって、前記マスタ・コントローラのそれぞれが前記ケーブル局のうちの１つに関連付けられ、前記ケーブル局のそれぞれが、通信経路に沿った他の前記ケーブル局と通信するように構成され、各前記マスタ・コントローラが、それらと関連付けられた１つまたは複数のネットワーク要素内の障害を示すローカル警報を受信するように構成され、各前記マスタ・コントローラには、関連付けられた障害データおよび回復データが提供される、複数のマスタ・コントローラと、
それぞれの前記マスタ・コントローラ間の通信ネットワークであって、それにより、前記複数のマスタ・コントローラのそれぞれが、複数の他の前記マスタ・コントローラと通信するように構成され、前記マスタ・コントローラのうちのそれぞれが、前記他の前記マスタ・コントローラからリモート警報を受信するように構成され、前記リモート警報が、前記他のマスタ・コントローラに関連付けられた１つまたは複数のネットワーク要素内の障害を示す、通信ネットワークと
を備え、
各前記マスタ・コントローラは、前記ローカル警報または前記リモート警報が、前記障害データ内に含められた障害プロファイルまたは前記回復データ内に含められた回復プロファイルに対応する場合、前記通信経路上の前記ケーブル局のうちの１つまたは複数の間の通信を修正するための障害回復機能を実行するように構成された、システム。
【請求項２】
前記システムが、各前記マスタ・コントローラに関連付けられた１つまたは複数のシェルフ・コントローラをさらに備え、それによって各前記マスタ・コントローラは、それらに関連付けられた前記１つまたは複数のシェルフ・コントローラから前記ローカル警報を受信するように構成された、請求項１に記載のシステム。
【請求項３】
各前記マスタ・コントローラが、集約されたローカル警報を前記プロファイルと比較するために、前記１つまたは複数のシェルフ・コントローラからの前記ローカル警報を集約するように構成された、請求項２に記載のシステム。
【請求項４】
前記障害プロファイルが、警報署名と、１つまたは複数の送信側端末識別子のリストとを含み、前記障害が前記ローカル警報または前記リモート警報に対応する場合、各前記送信側端末識別子が、通知対象となる前記ケーブル局のうちの１つを指定する、請求項１に記載のシステム。
【請求項５】
前記回復プロファイルが、障害署名と回復ステップとを含み、前記障害署名は報告側端末識別子および警報署名識別子を含み、前記回復ステップは送信器パラメータに対する調整を含む、請求項１に記載のシステム。
【請求項６】
前記障害回復機能が、送信器パラメータを調整するステップを含み、前記送信器パラメータは、チャネル送信電力レベル、プリエンファシス、周波数選択、およびローディング・トーンの分散からなるグループから選択されたパラメータである、請求項１に記載のシステム。
【請求項７】
前記通信システムが海底通信システムである、請求項１に記載のシステム。
【請求項８】
複数のケーブル局を含む通信システム内に障害回復を確立する方法において、
複数のマスタ・コントローラを提供するステップであって、各前記マスタ・コントローラは、各前記ケーブル局に関連付けられ、各前記ケーブル局は、通信経路に沿って他の前記ケーブル局と通信するように構成され、各前記マスタ・コントローラは、それらと関連付けられた１つまたは複数のネットワーク要素内の障害を示すローカル警報を受信するように構成され、各前記マスタ・コントローラには、関連付けられた障害データおよび回復データが提供される、提供するステップと、
各前記マスタ・コントローラ間の通信ネットワークを確立するステップであって、それによって前記複数のマスタ・コントローラのそれぞれが、複数の他の前記マスタ・コントローラと通信するように構成され、前記マスタ・コントローラのうちのそれぞれが、前記他の前記マスタ・コントローラからリモート警報を受信するように構成され、前記リモート警報が、前記他のマスタ・コントローラに関連付けられた１つまたは複数のネットワーク要素内の障害を示す、確立するステップと、
前記ローカル警報または前記リモート警報が、前記障害データ内に含められた障害プロファイルまたは前記回復データ内に含められた回復プロファイルに対応する場合、前記通信経路上の前記ケーブル局のうちの１つまたは複数の間の通信を修正するための障害回復機能を実行するように各前記マスタ・コントローラを構成するステップと
を含む、方法。
【請求項９】
各前記マスタ・コントローラが、それらに関連付けられた複数のシェルフ・コントローラから前記ローカル警報を受信するように構成された、請求項８に記載の方法。
【請求項１０】
前記障害プロファイルが、警報署名と、１つまたは複数の送信側端末識別子のリストとを含み、前記障害が前記ローカル警報または前記リモート警報に対応する場合、各前記送信側端末識別子が、通知対象となる前記ケーブル局のうちの１つを指定する、請求項８に記載の方法。
【請求項１１】
前記回復プロファイルが、障害署名と回復ステップとを含み、前記障害署名は報告側端末識別子および警報署名識別子を含み、前記回復ステップは送信器パラメータに対する調整を含む、請求項８に記載の方法。
【請求項１２】
前記障害回復機能が、送信器パラメータを調整するステップを含み、前記送信器パラメータは、チャネル送信電力レベル、プリエンファシス、周波数選択、およびローディング・トーンの分散からなるグループから選択されたパラメータである、請求項８に記載の方法。
【請求項１３】
前記通信システムが海底通信システムである、請求項８に記載の方法。
【発明の詳細な説明】
【技術分野】
【０００１】
本開示は、通信システムにおける分散型障害感知および回復に関する。
【背景技術】
【０００２】
障害感知および回復は、ネットワーク障害を回避するため、およびネットワーク性能を保証するために、様々なタイプの光伝送ネットワークにおいて異なるレベルで実行可能である。たとえば、ネットワークのネットワーク要素における障害を監視、管理、および検出するために、要素管理システム（ＥＭＳ）を使用することができる。いくつかのＥＭＳと通信することによって、光ネットワーク全体を監視および管理するために、ネットワーク管理システム（ＮＭＳ）を使用することができる。ピアＥＭＳから導出された情報に基づいて、集中型のＮＭＳ関与を必要とせずに、任意のＥＭＳが障害回復を開始することができる。
【０００３】
たとえば、光通信システムにおいて、ネットワークを形成するために、ケーブル・セグメントによって端末局またはケーブル局を相互接続することができる。光通信システムにおけるネットワーク要素は、ケーブル局に配置された装置（たとえば端末装置および給電装置）ならびにケーブル局に接続された装置（たとえば中継器（repeater）および等化器（equalizer））を含むことができる。こうしたシステムでは、ＥＭＳをケーブル局（または別の場所）に配置すること、および、このケーブル局に関連付けられたネットワーク要素を管理するために使用することが可能である。ＮＭＳは、光通信システム全体を管理するため、およびＥＭＳとの通信に基づく障害回復を実行するために、ケーブル局のうちの１つまたは別の場所に配置することができる。
【０００４】
海底光ファイバ通信システムは、送信側および／または受信側のトランク端末またはケーブル局で終端可能な、比較的長いトランク・セグメント（trunk segment）を含むことができる。光ファイバ伝送システムは、そのトランクに沿って位置付けられた、たとえば分岐ユニットおよび／または中継器などの１つまたは複数の光デバイスを、さらに含むことができる。各分岐ユニット（ＢＵ）は、送信側および／または受信側の分岐端末またはケーブル局内で終端する、分岐セグメントに接続することができる。各分岐ユニットは、分岐ユニットでデータ信号を追加および／またはドロップするように構成された、光追加／ドロップ・マルチプレクサ（ＯＡＤＭ）を含むことができる。各トランクおよび／または分岐端末は、陸地または陸地近くにあるものとすることができる。比較的長いトランク・システムは、水中、たとえば海底に沿って敷設可能である。光デバイスは、たとえば５０キロメートルまたはそれ以上などの、陸地から比較的長い距離で、海底に配置することもできる。
【０００５】
各トランク・セグメントおよび／または分岐セグメントは、１本または複数本の光ファイバを含むことができる。各光ファイバは、たとえば波長分割多重化などを使用して、複数の多重化光チャネルを搬送するように構成することができる。光ファイバは、たとえば１つまたは複数の信号の伝搬を低下させるかまたは妨害する可能性のある、ファイバの切断または損傷などの障害を起こしやすい可能性がある。信号の劣化および／または喪失は、受信側の分岐またはトランク端末で検出可能である。
【０００６】
ＯＡＤＭを含む光ファイバ通信システムは、トランク・セグメントまたは分岐セグメントの障害イベント時の障害回復について、特別な課題を提示する可能性がある。トランク・トラフィックと分岐トラフィックとの間には、かなりの相互依存関係が存在する可能性がある。たとえばいくつかの状況では、分岐障害の結果としてトランク・トラフィックが損なわれる可能性がある。他の例では、トランク障害は、トランクの残存部分から分岐へと伝送される信号には影響を与えないが、分岐からトランクの残存部分への信号には悪影響を与える可能性がある。トラフィックが影響を受けるかどうかまたはどの程度の影響を受けるかは、ＯＡＤＭアーキテクチャ、残存するファイバ・セグメントの長さ、障害の位置およびタイプ、分岐ユニットとトランク端末との間の相対的距離、および／または、各分岐ユニットの電力供給構成を含む、いくつかの要因に依存する。
【発明の概要】
【発明が解決しようとする課題】
【０００７】
一般に、追加の光ファイバを含む代替ルートは、たとえば保護スイッチングなどの、障害のあるファイバ・セグメントからの信号をルート変更するために使用できない可能性がある。これは特に、光ファイバの敷設が困難かつ費用のかかる可能性のある、海底および／または遠隔陸上光通信システムに当てはまる可能性がある。加えて、または別の方法として、障害の検出および通信の際の信頼性について考えた場合、障害回復は、単一の集中型ネットワーク管理システムに依存するのではなく、システム全体に分散されることが望ましい可能性がある。したがって、通信システムにおける分散型障害感知および回復が求められている。
【課題を解決するための手段】
【０００８】
ＯＡＤＭネットワークにおける障害回復は、結果として生じる光ネットワーク信号特徴が、計画された光増幅方式にもはや適合しないことから、障害によって直接影響されないネットワークの部分が受ける損傷を制限することを含む。
【０００９】
回復時、光信号ソースは、できる限り元の光ネットワーク信号ローディングを再作成するように管理される。
【００１０】
以下の図面に関連して以下の詳細な説明を参照するが、これらの図面で同じ番号は同じ部分を表す。
【図面の簡単な説明】
【００１１】
【図１】本開示の実施形態に適合する、光通信システムを示す概略図である。
【図２Ａ】本開示に適合する、分散型障害監視および回復用に構成された、光通信システムを示すブロック図である。
【図２Ｂ】本開示に適合する、分散型障害監視および回復用に構成されたデータ構造およびコントローラ間の通信を示すブロック図である。
【図２Ｃ】例示的障害プロファイルを示すブロック図である。
【図２Ｄ】例示的回復プロファイルを示すブロック図である。
【図３Ａ】本開示に適合する、障害監視および回復の方法を示す流れ図である。
【図３Ｂ】本開示に適合する、障害監視および回復の方法を示す流れ図である。
【図４】本開示に適合する、検出された障害の集約および通信を示すブロック図である。
【図５】本開示に適合する、分散型障害感知および回復の例を示すための、光通信システムの例を示す図である。
【発明を実施するための形態】
【００１２】
一般に、本開示に適合する分散型障害感知および回復のシステムおよび方法は、光通信ネットワークにおいて検出された障害に応答して、送信器パラメータの自律的な「ベスト・エフォート（best effort）型」の調整を提供する。光通信ネットワークは、ケーブル局、光ファイバ・セグメント、分岐ユニット（ＯＡＤＭを含む）、および／または中継器を含むことができる。障害感知および回復は、障害管理用のネットワーク管理システム（ＮＭＳ）に依存せずに、光通信ネットワーク全体にわたって分散させることができる。
【００１３】
本開示に適合する一実施形態において、１つまたは複数のケーブル局は、通信ネットワークを監視することと、障害が発生したか否かを判断することと、障害が発生した場合に、提供されたプロファイルに対応する障害回復機能を実行することとを行うように構成されたコントローラを含むことができる。たとえば、コントローラは、受信したチャネルでの障害（ローカル障害）を感知または検出すること、および／または受信したチャネル上で送信する責務を負うリモート・ケーブル局で、ローカル障害をコントローラに送信することを行うように構成することが可能である。さらにコントローラは、コントローラがリモート・ケーブル局のコントローラから検出された障害（リモート障害）の通知を受信した場合、ローカル送信器パラメータを調整するように構成することが可能である。調整された送信器パラメータは、チャネル送信電力レベル、プリエンファシス（pre-emphasis）、情報チャネル選択、および／または、ローディング・トーン（loading tones）の分散を含むことができる。したがってコントローラは、ローカル障害を検出および送信するように構成すること、および検出および送信されたリモート障害に応答するように構成することが可能である。
【００１４】
障害によっていくつかのチャネル上で信号の喪失が生じた場合、本開示に適合する分散型感知および回復は、完全に正常な制御アーキテクチャを必要とすることなく、回復されるチャネルの数を最大にすることができる。たとえばコントローラが、たとえば障害によって切断された場合、他のコントローラがそれらの送信器パラメータを調整して、結果として少なくともいくつかのチャネルを自動的に回復させることができる。本開示に適合する分散型感知および回復により、局在化された意思決定処理および／または並行処理に少なくとも部分的に基づいて、障害の発生から障害の回復までの応答時間を短縮させることもできる。
【００１５】
本開示に適合するシステムおよび方法は、たとえば海底光通信システム内などの、複数の冗長通信経路を提供することが比較的困難であるシステムおよび／または費用がかかるシステム内で、使用可能である。こうしたシステムでは、障害に遭遇している第１の通信経路から保護スイッチングされたチャネルを搬送するように構成された、第２の通信経路を提供することが実現可能でない場合がある。たとえば、海底システム内の障害回復方法は、保護スイッチングを回避することが可能であり、代わりに、たとえば送信器パラメータを調整することによって、第１の光路上の１つまたは複数のケーブル局間の通信を修正することができる。このようにして、第２の冗長通信経路に依存することなく、障害検出および回復を実施することができる。例示的実施形態について、海底光通信システムとの関連において説明するが、本明細書で説明されるシステムおよび方法は陸上通信システムでも使用可能である。
【００１６】
ここで図１を見ると、本開示に適合する例示的光通信システム１００が示されている。当業者であれば、システム１００は、説明がしやすいようにかなり簡略化された形で示されていることを理解されよう。光通信システム１００は、トランク経路１１２に結合されたトランク端末１１０、１２０を含む。本明細書で使用される「結合された」という用語は、１つのシステム要素によって搬送される信号が、「結合された」要素に与えられる際に使用される任意の接続、結合、リンクなどを言い表す。こうした「結合された」デバイスは、必ずしも互いに直接接続されるものではなく、こうした信号を操作または修正することが可能な介在する構成要素またはデバイスによって分離することができる。
【００１７】
トランク経路１１２は、光信号を搬送するための、たとえばケーブル・セグメント１０６、１０７、１０８などの、複数の光ケーブル・セグメントを含むことができる。各ケーブル・セグメントは、光ファイバ・ペアを含む光ファイバ・ケーブルの１つまたは複数のセクション、および、トランク端末１１０、１２０間に光信号の双方向通信用の伝送経路を提供するための１つまたは複数の中継器１７０を含むことができる。
【００１８】
１つまたは複数の分岐ユニット、たとえば分岐ユニット１３０および１４０は、トランク端末１１０、１２０間のトランク経路に結合可能である。さらに各分岐ユニット１３０、１４０は、それぞれ関連付けられた分岐経路１３５、１４６を介し、おそらくは１つまたは複数の中継器１７０およびリンクする光ケーブルを介して、たとえば分岐端末１５０および１６０などの分岐端末に、それぞれ結合可能である。したがって、システム１００は、２つまたはそれ以上の端末１１０、１２０、１５０、１６０間に、光信号の双方向通信を提供するように構成可能である。説明がしやすいように、本明細書の説明は端末間の伝送を言い表すことができる。しかしながら、システム１００は、端末１１０、１２０、１５０、１６０のうちのいずれかの間の双方向または一方向通信用に構成可能である。
【００１９】
トランク経路および分岐経路内の構成要素は、それらの所期の機能を達成するための知られた構成を含むことができる。たとえば中継器１７０は、伝送経路上の信号減衰を補償する、任意の知られた光増幅器／中継器構成を含むことができる。たとえば、中継器のうちの１つまたは複数は、エルビウム・ドープ・ファイバ増幅器（erbium doped fiber amplifier）（ＥＤＦＡ）、ラマン増幅器、またはハイブリッド・ラマン／ＥＤＦＡ増幅器などの、光増幅器として構成可能である。また、中継器のうちの１つまたは複数は、光信号を電気信号に変更し、この電気信号を処理した後、光信号を再伝送することによって、光信号を再生成する、知られた光−電気−光構成（optical-electrical-optical configuration）内にも提供可能である。
【００２０】
光通信システム１００は、たとえば少なくとも２つの端末間の長さが約６００ｋｍを超える、長距離システムとして構成可能であり、ある水域全体にわたることが可能である。たとえば海洋１０４などの、ある水域全体にわたるように使用される場合、増幅器１７０および／または分岐ユニット１３０および／または１４０を海底に固定することが可能であり、トランク経路１１２の経路は、海岸の陸地間全体にわたることが可能である。複数の中継器、分岐ユニット、および光媒体リンクを、水底および／または陸上に配設することができる。
【００２１】
光通信システム１００の構成要素は、１つまたは複数の障害の影響を受けやすい可能性がある。たとえば、分岐経路および／またはトランク経路に関連付けられた光ケーブル・セグメントが損傷を受けるかまたは切断される可能性がある。各障害は、そのセグメントに関連付けられた１つまたは複数のチャネル上の１つまたは複数の光信号の伝送を劣化させる可能性がある。いくつかのインスタンスでは、この劣化によって信号喪失が生じる可能性がある。受信側端末は、１つまたは複数の喪失および／または劣化信号を検出することができる。受信側端末は、障害回復を実施するために、検出された障害を、障害によって影響を受けた各送信信号および／またはチャネルに関連付けられたパラメータを調整するように構成可能な、送信側端末に送信するように構成可能である。調整可能なパラメータの例には、チャネル送信電力レベル、プリエンファシス、情報チャネル選択、および／または、ローディング・トーンの分散が含まれる。障害の検出、通信、および回復は自律的であり、光通信システム内で分散可能である。言い換えれば、障害の検出、通信、および回復は、ネットワーク管理システムからの入力なしに実施可能である。
【００２２】
次に図２Ａを見ると、たとえばシステム１００などの光通信システムに分散型障害感知および回復を提供するように構成された、システム２００のブロック図が示されている。システム２００は、データ通信ネットワーク（「ＤＣＮ」）２１５に結合された複数のケーブル局２１０ａ…２１０ｍを含むことができる。各ケーブル局２１０ａ…２１０ｍは、たとえばＤＣＮ  ２１５を介して、正常な状況の光データ信号を送信および受信するように構成可能である。加えて、または別の方法として、各ケーブル局２１０ａ…２１０ｍは、他のケーブル局および／またはネットワーク要素からの制御信号を送信および／または受信するように構成可能である。光通信システム内のネットワーク要素は、端末またはケーブル局に配置された機器（たとえば端末機器および給電機器）、ならびにケーブル局に結合された機器（たとえば中継器、等化器、およびＯＡＤＭを含むマルチプレクサ）を含むことができる。ネットワーク要素は、障害を含む状況を、ケーブル局２１０ａ…２１０ｍに通信するように構成可能である。たとえば障害は、信号の喪失、劣化信号、および／またはネットワーク要素自体の内部の障害を含むことができる。
【００２３】
たとえばケーブル局Ａ  ２１０ａなどのケーブル局は、それぞれが、たとえば、シェルフ１  ２２０ａに対応するネットワーク要素２２３ａ…２２３ｊ−１、２２３ｊ…２２３Ｊ、および、シェルフＮ  ２２０ｎに対応するネットワーク要素２２３ｎ＋１…２２３ｐ、２２３ｐ＋１…２２３Ｎなどの、複数のネットワーク要素を含むこと、および／またはそれらに結合されることが可能な、複数のシェルフ２２０ａ…２２０ｎを含むことができる。他のシェルフのそれぞれも同様に、複数のネットワーク要素を含むことができる。複数のシェルフ２２０ａ…２２０ｎのそれぞれは、シェルフに対する警報を集約するように構成された、たとえばシェルフ・コントローラ２２５ａ…２２５ｎなどの、関連付けられたコントローラを含むことができる。通信は、イーサネット・プロトコル、または当業者に知られた他のプロトコルを介するものとすることができる。たとえば、各ネットワーク要素２２３ａ…２２３ｊ−１、２２３ｊ…２２３Ｊ…２２３ｎ＋１…２２３ｐ、２２３ｐ＋１…２２３Ｎは、チャネルに結合可能であり、そのチャネル上での光信号の喪失または劣化に応答して警報を生成するように構成可能である。その後、シェルフ・コントローラ２２５ａ…２２５ｎは、シェルフに関連付けられた各チャネルからの警報を受信および集約することができる。
【００２４】
シェルフ・コントローラ２２５ａ…２２５ｎは、ＬＡＮ（ローカル・エリア・ネットワーク）を介して結合可能であり、ＬＡＮを介して互いに通信するように構成可能である。ＬＡＮは、ローカルＬＡＮハブおよび／またはスイッチ２３０を含むことができる。たとえば、ＬＡＮは仮想ＬＡＮとすることが可能であり、各シェルフ・コントローラは、すべてのシェルフ・バックプレーン（shelf backplane）へのアクセスを有することが可能である。少なくとも１つのシェルフ・コントローラ２２５ａ…または２２５ｎを、たとえばマスタ・コントローラ２２７ａなどのマスタ・コントローラとして構成可能である。マスタ・コントローラ２２７ａは、他のシェルフ・コントローラ２２５ａ…２２５ｎのそれぞれからの集約された警報を受信すること、ならびに、シェルフ自体、すなわちシェルフの関連付けられたネットワーク要素に関する警報を集約することを行うように構成可能である。
【００２５】
各ケーブル局２１０ａ…２１０ｍは、少なくとも１つのマスタ・コントローラおよび複数のシェルフ・コントローラ２２５ａ…２２５ｎを含むことができる。たとえばマスタ・コントローラ２２７ａなどのローカル・マスタ・コントローラは、たとえば、ケーブル局Ｂ  ２１０ｂ、ケーブル局Ｃ  ２１０ｃ…ケーブル局Ｍ  ２１０ｍに配置された、１つまたは複数のリモート・マスタ・コントローラに結合することができる。たとえばマスタ・コントローラは、仮想ＬＡＮ（「ＶＬＡＮ」）または専用ケーブル局イーサネット・サブネットワークを介し、ＤＣＮ  ２１５を通じて互いに結合可能である。ＶＬＡＮは、ＤＣＮ  ２１５に結合された各ケーブル局に、たとえばＤＣＮハブ／スイッチ２３２などのＤＣＮハブ／スイッチを含むことができる。このように、マスタ・コントローラ間の通信は、他のＤＣＮ  ２１５トラフィックから独立しているものとすることが可能であり、相対的により高速であるものとすることが可能である。加えて、または別の方法として、ＶＬＡＮを介する通信は、マスタ・コントローラを他のＤＣＮ  ２１５メッセージングから分離するように構成可能であり、たとえばＥＭＳ  ２３５などの要素管理システム（ＥＭＳ）を対象とすることが可能である。
【００２６】
したがって、各端末１１０、１２０、１５０、１６０、またはケーブル局２１０ａ…２１０ｍは、マスタ・コントローラおよび複数のシェルフ・コントローラを含むことができる。マスタ・コントローラおよび各シェルフ・コントローラは、それに結合された１つまたは複数のネットワーク要素から警報を受信するように構成可能である。マスタ・コントローラは、その受信した警報を集約するように構成可能である。各シェルフ・コントローラは、その受信された警報を集約することと、集約された警報の指示をケーブル局に関するローカル・マスタ・コントローラに提供することとを行うように構成可能である。各ローカル・マスタ・コントローラは、集約された警報の指示を受信するように構成可能であり、提供された障害プロファイルに基づき、その障害を１つまたは複数のリモート・マスタ・コントローラに通知可能である。各マスタ・コントローラは、障害の通知を受信するように構成可能である。マスタ・コントローラは、障害の性質に応じて、複数のコントローラから複数の障害通知を１つの障害の結果として受信することができる。一実施形態では、各マスタ・コントローラは、障害をすべての他のマスタ・コントローラに通知するように構成可能である。この実施形態では、各マスタ・コントローラは、「すべてを知っている」ものとみなすことが可能であり、すなわち、ネットワーク全体の状況を把握しているように構成可能である。他の実施形態では、各マスタ・コントローラは、障害に少なくとも部分的に基づいて、他のマスタ・コントローラに障害を通知するように構成可能である。この実施形態では、各マスタ・コントローラは、ネットワーク全体の状況を把握していない可能性がある。各マスタ・コントローラは、１つまたは複数の障害通知に応答して、１つまたは複数の回復ステップを含む障害回復機能を実行するように構成可能である。このように、ＮＭＳからの制御入力なしに、分散型障害検出および回復が実施可能である。
【００２７】
図２Ｂは、マスタ・コントローラ２２７ａおよび１つまたは複数の他のマスタ・コントローラ２２７ｂ、…２２７ｍを含む、複数のマスタ・コントローラを示すブロック図である。各マスタ・コントローラ２２７ａ…２２７ｍには、たとえば、通信システムの配備および／または通信システムのアップグレード時に、障害モニタおよび回復システム２４６ａ…２４６ｍが提供可能である。各障害モニタおよび回復システム２４６ａ…２４６ｍは、障害感知、障害報告、および／または障害回復向けに構成可能である。
【００２８】
各マスタ・コントローラ２２７ａ…２２７ｍには、たとえば通信システムの配備および／または通信システムのアップグレード時に、１つまたは複数のデータ構造２４０ａ…２４０ｍが提供可能である。各データ構造は、障害データ２４２ａ…２４２ｍおよび回復データ２４４ａ…２４４ｍを含むことができる。障害データは、たとえば障害プロファイル２５０（図２Ｃ）などの１つまたは複数の障害プロファイルを含むことが可能であり、回復データは、たとえば回復プロファイル２７０（図２Ｄ）などの１つまたは複数の回復プロファイルを含むことが可能である。障害データおよび回復データは、マスタ・コントローラ特有のものとすることが可能であり、すなわち特定のマスタ・コントローラ２２７ａ、…または２２７ｍに依存可能である。各プロファイルは、たとえば波長割振りなどの光通信ネットワーク、ならびに／あるいは、たとえばＯＡＤＭによって各分岐ユニットで追加および／またはドロップ可能なチャネルの、構成に基づくことが可能である。たとえば、各プロファイルは光通信ネットワーク設計者によって作成可能であり、光通信システムの配備またはアップグレードの一部として提供可能である。各プロファイルは、ローディング、システム・トポロジなどに基づいてカスタマイズ可能である。
【００２９】
次に図２Ｃを見ると、例示的な障害プロファイル２５０が示されている。障害プロファイル２５０は、障害プロファイル識別子２５２および警報署名２５４を含むことができる。たとえば、各警報署名２５４は、喪失信号を伴うチャネルに関するチャネル識別子のリスト２５８、および／または劣化信号を伴うチャネルに関するチャネル識別子のリスト２６０を、含むことができる。さらに各障害プロファイル２５０は、障害が通知されることになる送信側端末を指定する、たとえば送信側端末識別子２６２−１、２６２−２…２６２−ｎなどの、１つまたは複数の送信側端末識別子のリスト２５６を含むことができる。指定された送信側端末は、障害回復を実施するために送信器パラメータを調整するように構成可能である。障害回復は、障害の影響を最小限にするように構成可能である。たとえば、チャネル送信電力は、障害によって劣化されたチャネルに対して増加することができる。他の例では、１つまたは複数のローディング・トーンの周波数を、障害の影響を低減させる試みにおいて調整可能である。たとえばマスタ・コントローラ２２７ａなどの、提供された警報署名に対応する障害を検出した各受信側端末にあるコントローラは、たとえばコントローラ２２７ｂ…２２７ｍなどの、指定された送信側端末にあるコントローラに対して、障害報告を提供するように構成可能である。障害報告２４５は、報告側端末識別子および警報署名識別子を含むことができる。たとえば、報告側端末識別子は、ケーブル局および／または検出された障害を有するマスタ・コントローラに対応するものとすることができる。
【００３０】
図２Ｄを見ると、例示的回復プロファイル２７０が示されている。各回復プロファイル２７０は、回復プロファイル識別子２７２および障害署名２７４を含むことができる。たとえば、各障害署名２７４は、各報告側端末に関する識別子２７８−１、２７８−２…２７８−ｍと、各報告側端末に関する関連付けられた警報署名または警報署名識別子２８０−１、２８０−２…２８０−ｍとの、リストを含むことができる。各関連付けられた警報署名または警報署名識別子２８０−１、２８０−２…２８０−ｍは、障害に遭遇している報告側端末の特定のチャネルに基づくものとすることができる。各回復プロファイル２７０は、回復ステップ２７６、または、障害署名２７４に少なくとも部分的に基づく各送信側端末で実行されることになる回復ステップに対応する識別子を、さらに含むことができる。障害通知を受信可能な（すなわち障害によって分離されない）各送信側端末は、その関連付けられた回復ステップを実行可能である。
【００３１】
端末は、送信側端末および受信側端末の両方とすることができる。したがって、端末に配置された、たとえばコントローラ２２７ａなどのコントローラは、ローカル障害を報告すること、および／またはリモート障害に関する回復ステップを実行することを行うように構成可能である。このように分散型障害回復は、ＮＭＳからの入力なしに、すべての送信側端末へのアクセスの必要なしに、および、障害回復に関する保護スイッチングに依存せずに、実行可能であり、回復されるチャネル数を最大にすることができる。
【００３２】
次に図３Ａを見ると、本開示に適合する障害監視および回復の方法を示す流れ図３００が示されている。流れは開始３０２から開始される。通信システムは、たとえばコントローラによって監視可能である３０４。障害が発生したかどうかを判断することができる３０６。障害が発生していない場合、流れは通信システムの監視３０４に戻ることができる。障害が発生した場合、障害がプロファイルに対応するかどうかを判断することができる３０８。障害がプロファイルに対応しない場合、デフォルト回復プランを実施することができる３０９。障害がプロファイルに対応する場合、プロファイルに基づく機能を実行することができる３１０。次に、流れは通信システムの監視３０４に戻ることができる。
【００３３】
たとえばマスタ・コントローラは、通信システムを監視することができる３０４。マスタ・コントローラは、その関連付けられたネットワーク要素および／またはローカル・シェルフ・コントローラから受信した１つまたは複数の警報、ならびに／あるいは１つまたは複数のリモート・コントローラから受信した通信に基づいて、障害が発生したかどうかを判断することができる３０６。障害は、１つまたは複数の通信チャネル上の喪失信号または劣化信号を含むことができる。障害が発生した場合、マスタ・コントローラは、障害が、たとえばデータ構造２４０ａなどのデータ構造に含まれる、たとえば障害プロファイルまたは回復プロファイルなどのプロファイルに対応するかどうかを、障害が、たとえば通知がシェルフ・コントローラから受信されるなど、ローカルであるか、または、たとえば通知が他の（リモートの）マスタ・コントローラから受信されるなど、リモートであるかに、少なくとも部分的に基づいて、判断することができる３０８。障害が障害プロファイルに対応する場合（すなわちローカル障害）、マスタ・コントローラは、障害プロファイルのリストに列挙された送信局に障害を送信する機能を実行することができる３１０。障害が回復プロファイルに対応する場合（すなわちリモート障害）、マスタ・コントローラは、回復プロファイルに含まれた１つまたは複数の回復ステップの機能を実行することができる３１０。障害がローカル障害であるが、提供された障害プロファイルに対応しない場合、マスタ・コントローラは、デフォルト回復プラン、たとえば手動介入要求警報を実施することができる３０９。障害が、提供された回復プロファイルに対応しないリモート障害である場合、マスタ・コントローラは、デフォルト回復プラン、たとえば各チャネル送信電力の増加を実施することができる３０９。
【００３４】
次に図３Ｂを見ると、本開示に適合する障害監視および回復の方法を示す、より詳細な流れ図３１１が示されている。流れは開始３１３から開始される。ケーブル局Ａ  ２１０ａにある、たとえばマスタ・コントローラ２２７ａなどのローカル・マスタ・コントローラは、ケーブル局Ａ  ２１０ａにある、たとえばシェルフ・コントローラ２２５ａ…２２５ｎで検出された警報、ならびにその関連付けられたネットワーク要素から受信された警報などの、ローカル障害を監視することができる３１５。警報は、１つまたは複数の通信チャネル上の喪失信号または劣化信号を表すことができる。たとえばローカル・マスタ・コントローラは、警報に関してシェルフ・コントローラをポーリングすることができる。他の例では、シェルフ・コントローラは、ネットワーク要素から警報が検出された場合、ローカル・マスタ・コントローラに通知することができる。各シェルフ・コントローラは、複数の警報を集約した後に、ローカル・マスタ・コントローラに通知することができる。各シェルフ・コントローラは、たとえば１つまたは複数のチャネル上で検出された喪失信号または劣化信号などの警報について、ローカル・マスタ・コントローラに通知するかどうかを判断することができる。
【００３５】
ローカル・マスタ・コントローラは、リモート障害を監視することができる３２０。たとえばローカル・マスタ・コントローラ２２７ａは、障害が発生したことを示すリモート・マスタ・コントローラからの通知に関して、ポーリングすることができる。他の例では、リモート・マスタ・コントローラは、報告可能な障害が発生したことをローカル・マスタ・コントローラに通知することができる。リモート・マスタ・コントローラは、たとえばＤＣＮおよび／またはＶＬＡＮを介してローカル・ケーブル局に結合された、任意のケーブル局に配置可能である。たとえば、ケーブル局Ａ  ２１０ａのマスタ・コントローラ２２７ａをローカル・マスタ・コントローラとみなすと、リモート・マスタ・コントローラは、ケーブル局Ｂ  ２１０ｂ、ケーブル局Ｃ  ２１０ｃ、…、および／またはケーブル局Ｍ  ２１０ｍに配置可能である。
【００３６】
ローカル・マスタ・コントローラは、ローカル障害が発生したかどうかを判断することができる３２５。ローカル障害は、１つまたは複数の警報を含むことができる。ローカル障害が発生した場合、ローカル・マスタ・コントローラは、そのローカル障害が提供された障害プロファイルに対応するかどうかを判断することができる３３０。たとえば、ローカル・マスタ・コントローラは、ローカル障害が、たとえば提供された障害データ２４２ａなどの提供された障害データ内のそれぞれの障害プロファイルの、たとえば警報署名２５４などの警報署名とローカル障害を比較することによって提供された障害プロファイルに対応するかどうかを判断すること、および、ローカル障害が警報署名に対応するかどうかを判断することができる。警報署名内に指定されたネットワーク要素の少なくとも一部が障害に遭遇している場合、ローカル障害は警報署名に対応するものと判断することができる。
【００３７】
１つまたは複数の障害を、たとえばシェルフ・コントローラからローカル・マスタ・コントローラへ送信することができる。たとえばあるネットワーク要素は、関連付けられたチャネル上の障害を検出することができる。他のネットワーク要素は、他の関連付けられたチャネル上の障害を検出することができる。複数の障害は、光ケーブル・セグメントが損傷を受けたかまたは切断されたことを示すことができる。影響を受けた特定のチャネルは、たとえば分岐および／またはトランクなどの、損傷を受けたかまたは切断されたケーブル・セグメントの場所の指示を提供することができる。各ネットワーク要素は、その検出された障害を、その関連付けられたシェルフ・コントローラに送信することができる。各シェルフ・コントローラは、ネットワーク要素から受信した障害を集約すること、および、検出された障害をローカル・マスタ・コントローラに送信するかどうかを判断することが可能である。たとえば各シェルフ・コントローラは、影響を受けたチャネルに基づいて検出された障害を送信するかどうか、および／または、関連付けられた信号が劣化または喪失したかどうかを、判断することができる。
【００３８】
ローカル・マスタ・コントローラは、障害を検出し、検出された障害をローカル・マスタ・コントローラに送信した、各シェルフ・コントローラから、集約された障害情報を受信することができる。ローカル・マスタ・コントローラは、その関連付けられたネットワーク要素から受信した障害を集約することができる。ローカル・マスタ・コントローラは、集約された障害情報を組み合わせることができる。次にローカル・マスタ・コントローラは、組み合わされた障害が、提供された警報署名に対応するかどうかを判断することができる。たとえば、ローカル・マスタ・コントローラは、組み合わされた障害と、その提供されたデータ構造の障害データ部分における各障害プロファイル内の警報署名とを比較することができる。組み合わされた障害が提供された警報署名に対応しない場合、ローカル・マスタ・コントローラは、ローカル障害機能を実行することができる３３３。たとえばローカル障害機能は、手動介入要求ローカル警報を提供することを含むことができる。次に、プロセスの流れは、ローカル障害監視３１５に戻ることができる。
【００３９】
組み合わされた障害が、提供された警報署名に対応する場合、ローカル・マスタ・コントローラは、この障害を、１つまたは複数のリモート・マスタ・コントローラに報告することができる３３５。各リモート・マスタ・コントローラは、報告に応答して送信器パラメータを調整するように構成可能である。たとえばローカル・マスタ・コントローラは、この障害を、警報署名に対応する提供された障害プロファイル内に指定された各ケーブル局、すなわち、指定された端末２６２−１…２６２−ｎの、各リモート・マスタ・コントローラに報告することができる。たとえば障害報告は、報告側端末識別子および警報署名識別子を含むことができる。次にローカル・マスタ・コントローラは、この障害を、ＥＭＳおよび／またはＮＭＳに報告することができる３４０。次にプロセスの流れは、ローカル障害の監視３１５に戻ることができる。
【００４０】
このように、ローカル障害を検出し、リモート・ケーブル局に送信することができる。一実施形態では、受信側端末は、報告可能障害を検出し、この障害を１つまたは複数の送信側端末に送信することができる。次に各送信側端末は、障害回復を実施するために、１つまたは複数の障害通知に応答して、１つまたは複数の伝送パラメータを調整することができる。たとえば障害が送信側端末への通信に影響を与えるために、送信側端末が障害の通知を受信できない場合、それにもかかわらず通知を受信した他の送信側端末は、それらの関連付けられた回復ステップを実施することができる。したがって、回復は、リモート・コントローラがその指定された回復ステップを実行できない場合に失敗する可能性のある、「全か無か（all or none）」の回復エフォートではなく、実際に実施された回復ステップに基づく「ベスト・エフォート型」として進行することができる。たとえば回復は、すなわち冗長通信経路への１つまたは複数のチャネルの保護スイッチングなしに、通信経路上の通信を修正することができる。
【００４１】
図４は、シェルフ・コントローラ２２５ａ…２２５ｎ、マスタ・コントローラ２２７ａ…２２７ｍ、および複数のケーブル局２１０ａ…２１０ｍの間の、障害情報の流れの例４００を示す。各ケーブル局２１０ａ…２１０ｍは、マスタ・コントローラ２２７ａ、２２７ｂ…２２７ｍを含むことができる。各マスタ・コントローラ２２７ａ、２２７ｂ…、または２２７ｍは、たとえば１つまたは複数のチャネル上の劣化信号または喪失信号などの、障害を検出するように構成された、複数のシェルフ・コントローラ２２５ａ…２２５ｎに結合することができる。シェルフ・コントローラ２２５ａ、…、２２５ｎは、各シェルフ２２０ａ、…、２２０ｎに関するシェルフ障害サマリ４１０ａ、…、４１０ｎに障害を集約することと、各シェルフ障害サマリ４１０ａ、…、４１０ｎを、たとえばケーブル局２１０ａなどのケーブル局に関するマスタ・コントローラ２２７ａに送信することとを行うように構成可能である。各ローカル・マスタ・コントローラ２２７ａ、…、２２７ｍは、ケーブル局障害プロファイル４２０ａ、…、４２０ｍを、１つまたは複数のケーブル局２１０ａ、…、２１０ｍに配置された１つまたは複数のリモート・マスタ・コントローラ２２７ａ、…、２２７ｍに送信するように構成可能である。
【００４２】
再度図３Ｂを参照すると、ローカル障害が発生しなかった場合、ローカル・マスタ・コントローラは、リモート障害が発生したかどうかを判断することができる３４５。たとえば、ローカル・マスタ・コントローラは、障害の通知に関してリモート・マスタ・コントローラをポーリングすることができる。他の例では、１つまたは複数のリモート・マスタ・コントローラは、報告可能な障害が発生した場合、ローカル・マスタ・コントローラに通知することができる。リモート障害が発生しなかった場合、プロセスの流れはローカル障害の監視３１５に戻ることができる。
【００４３】
リモート障害が発生した場合、ローカル・マスタ・コントローラは、１つまたは複数のリモートの報告された障害のセットが、提供された回復プロファイルに対応するかどうかを判断することができる３５０。リモートの報告された障害のセットは、報告側マスタ・コントローラ識別子と、各リモートの報告された障害に関する警報署名または警報署名識別子とを、含むことができる。たとえば、ローカル・マスタ・コントローラは、リモートの報告された障害のセットを、たとえば提供された回復データ２４４ａなどの回復データ内の各回復プロファイルの、たとえば障害署名２７４などの障害署名と比較すること、および、リモートの報告された障害が障害署名に対応するかどうかを判断することによって、リモートの報告された障害のセットが、提供された回復プロファイルに対応するかどうかを判断することができる。報告側端末識別子およびリモートの報告された障害のセットの関連付けられた警報署名識別子が、提供された回復プロファイルのそれらと対応する場合、リモートの報告された障害のセットは、障害署名に対応するものと判断することができる。リモートの報告された障害のセットが提供された回復プロファイルに対応しない場合、デフォルトのリモート障害機能を実行することができる３５３。たとえば、デフォルトのリモート障害機能は、各チャネル上の送信電力の増加を含むことができる。次に、プロセスの流れは、ローカル障害の監視３１５に戻ることができる。
【００４４】
リモートの報告された障害のセットが、提供された回復プロファイルに対応する、すなわち、障害署名に対応する場合、ローカル・マスタ・コントローラは、対応する障害署名を含む提供された回復プロファイルに指定された回復ステップを実行することができる３５５。たとえば、回復ステップは、チャネル送信電力レベル、プリエンファシス、情報チャネル（周波数）選択、および／または、ローディング・トーンの分散を、調整することを含むことができる。ある実施形態では、ローカル・マスタ・コントローラは、回復ステップを実行する間、追加の障害報告を無視することができる。次に、ローカル・マスタ・コントローラは、ＥＭＳおよび／またはＮＭＳに回復を報告することができる３６０。次に、プロセスの流れは、ローカル障害の監視３１５に戻ることができる。
【００４５】
このように、検出された障害を１つまたは複数の送信側ケーブル局に送信することが可能であり、その後この送信側ケーブル局は、検出された障害を軽減または解消するように構成された回復ステップを実施することができる。この方法は、すべての送信側ケーブル局がそれらの関連付けられた回復ステップを実施する必要のない、「ベスト・エフォート型」の回復を提供することができる。
【００４６】
次に図５を見ると、本開示に適合する光通信システム５００の例が提供されている。本開示に適合する分散型障害感知および回復の２つの例について、例示的光通信システム５００を使用して説明する。この例については、図２Ａから２Ｄを参照することで最もよく理解されよう。システム５００は、それぞれがトランク端末１１０および１２０に対応可能な、ケーブル局Ａ  ５１０ａおよびケーブル局Ｂ  ５１０ｂと、それぞれが分岐端末１５０および１６０に対応可能な、ケーブル局Ｃ  ５１０ｃおよびケーブル局Ｄ  ５１０ｄという、複数のケーブル局を含む。システム５００は、ケーブル局Ａおよびケーブル局Ｂを結合する、トランク経路５３０を含む。さらにシステム５００は、ケーブル局Ｃおよびケーブル局Ｄをトランク経路５３０に結合するように構成された、第１の分岐ユニット５２０ａおよび第２の分岐ユニット５２０ｂを含む。各分岐ユニット５２０ａ、５２０ｂは、１つまたは複数の通信チャネルを追加および／またはドロップするように構成されたＯＡＤＭを含む。トランク経路５３０は、ケーブル局と分岐ユニットとの間、または、２つの分岐ユニット間、すなわちケーブル局Ａ  ５１０ａと第１の分岐ユニット５２０ａとの間、第１と第２の分岐ユニット５２０ａ、５２０ｂの間、ならびに、第２の分岐ユニット５２０ｂとケーブル局Ｂ  ５１０ｂとの間に、複数のケーブル・セグメント５３２、５３４、５３６を含む。システム５００は、第１の分岐ユニット５２０ａとケーブル局Ｃ  ５１０ｃとの間の第１の分岐経路５４０と、第２の分岐ユニット５２０ｂとケーブル局Ｄ  ５１０ｄとの間の第２の分岐経路５４２とを含む。
【００４７】
障害は、いずれかの分岐またはケーブル経路で発生する可能性がある。これらの例では、たとえばケーブルが損傷したなど、第１の分岐経路５４０内で障害が発生した。この障害は、少なくとも受信側ケーブル局Ｂ  ５１０ｂによって検出可能である。前述のように、ケーブル局Ｂの１つまたは複数のシェルフ・コントローラおよび／またはマスタ・コントローラは、１つまたは複数の関連付けられたネットワーク要素からの警報を検出することができる。これらの警報は集約され、ケーブル局Ｂに関するローカル・マスタ・コントローラに提供されることが可能である。ローカル・マスタ・コントローラは、集約された警報を組み合わせること、および、組み合わせおよび集約された警報が、提供された障害データ２４２ｂに含められた警報署名に対応するかどうかを判断することが可能である。たとえば、警報署名は、ネットワーク要素ＮＥ１、ＮＥ２、…ＮＥｎに関する信号の喪失に対応することが可能である。これらのネットワーク要素は、ケーブル局Ｃ  ５１０ｃから発信される、およびこれらを通じて渡される、信号に関連付けることができる。この警報署名は、たとえば障害プロファイルＣＳ−Ｂ−１などの障害プロファイルに関連付けることができる。障害プロファイルＣＳ−Ｂ−１は、ケーブル局ＡおよびＤを通知対象のケーブル局として、指定された送信側端末２５６のリスト内に指定することができる。次に、ケーブル局Ｂのマスタ・コントローラは、障害プロファイルＣＳ−Ｂ−１に関連付けられた警報署名が検出された旨を、ケーブル局ＡおよびＤのマスタ・コントローラに報告することができる。各報告は、報告側端末識別子を含むことができる。たとえば、ケーブル局Ｂのマスタ・コントローラは、前述のように、ＶＬＡＮを介してケーブル局Ａ  ５１０ａおよびケーブル局Ｄ  ５１０ｄのマスタ・コントローラと通信することができる。
【００４８】
チャネルの構成および障害の性質に応じて、たとえばケーブル局Ｄ  ５１０ｄなどの他のケーブル局も、第１の分岐経路５４０内の障害を検出することができる。たとえば、ケーブル局Ｄに関する提供された障害データ２４２ｄに含まれる警報署名は、ネットワーク要素ＮＥｎ＋１、ＮＥｎ＋２、…、Ｎに関する信号の喪失に対応することが可能である。警報署名は、ケーブル局Ａを通知対象のケーブル局として、指定された送信側端末のリスト内に指定することが可能な、たとえば障害プロファイルＣＳ−Ｄ−５などの障害プロファイルに関連付けることができる。次に、ケーブル局Ｄのローカル・マスタ・コントローラは、障害プロファイルＣＳ−Ｄ−５に関連付けられた警報署名が検出された旨を、ケーブル局Ａのマスタ・コントローラに報告することができる。この報告は、報告側端末識別子を含むことができる。
【００４９】
次に、ケーブル局Ａのマスタ・コントローラは、受信された障害報告を、その提供された回復データ２４４ａ内に含められた回復プロファイルと比較することができる。たとえば、ケーブル局Ａのマスタ・コントローラは、その障害署名に、報告された障害に対応するケーブル局識別子および警報署名識別子を含む、回復プロファイルを検索することができる。ケーブル局Ａのマスタ・コントローラは、対応する障害署名を発見した場合、その回復プロファイルに関連付けられた回復ステップを実施することができる。たとえば回復ステップは、ＮＥ１の電力レベルのある値への調整、ＮＥ２のシャットオフ、ＮＥｎ＋１の周波数変更などを含むことができる。
【００５０】
他の例では、第１の分岐経路５４０内の障害は、ケーブル局Ｂ  ５１０ｂによってのみ検出可能である。この例では、警報署名は提供された障害プロファイルＣＳ−Ｂ−２に関連付けられた警報署名に対応可能である。この障害プロファイルは、ケーブル局ＡおよびＤを通知対象のケーブル局として指定することができる。この例では、ケーブル局Ｂのマスタ・コントローラは、障害報告２４５内の障害プロファイルＣＳ−Ｂ−２に関連付けられた警報署名を、ケーブル局ＡおよびＤの両方に報告することができる。たとえば報告２４５は、障害プロファイルＣＳ−Ｂ−２に関連付けられた警報署名に関する警報署名識別子を含むことができる。報告２４５は、ケーブル局Ｂの報告側端末識別子を含むことができる。ケーブル局ＡおよびＤは、追加の障害報告をいっさい受信しないことが可能である。この例では、障害プロファイルＣＳ−Ｂ−２に関連付けられた警報署名は、ケーブル局Ａの回復プロファイルＣＳ−Ａ−２およびケーブル局ＤのＣＳ−Ｄ−１に対応することができる。ＣＳ−Ａ−２およびＣＳ−Ｄ−１の両方に関連付けられた回復ステップは、ＮＥ１の電力レベルのある値への調整、ＮＥ２のシャットオフ、ＮＥ３の周波数変更などを含むことができる。
【００５１】
このように、検出された警報、提供された障害データ、および提供された回復データに基づいて、障害を検出することが可能であり、回復は、自律的に、すなわちＮＭＳからの入力を必要とすることなく開始することが可能であり、さらに並行して、すなわち１つまたは複数の送信側端末によって実施可能である。障害は、受信側端末によって検出可能であり、回復は、すべての提供された送信側端末が回復ステップを実施する必要なしに、および、保護スイッチングを必要とせずに、１つまたは複数の送信側端末によって実行可能である。本開示に適合する分散型障害感知および回復の結果として、相対的に高速な、回復されるチャネルの数を最大にするベスト・エフォート型の回復が生じることになる。
【００５２】
本開示の一態様によれば、複数のケーブル局を含む通信システム内の分散型障害回復のためのシステムが提供される。このシステムは、複数のマスタ・コントローラであって、マスタ・コントローラのそれぞれがケーブル局のうちの１つに関連付けられ、ケーブル局のそれぞれが、通信経路に沿った他のケーブル局と通信するように構成され、各マスタ・コントローラが、それらと関連付けられた１つまたは複数のネットワーク要素内の障害を示すローカル警報を受信するように構成され、各マスタ・コントローラには、関連付けられた障害データおよび回復データが提供される、複数のマスタ・コントローラと、それぞれのマスタ・コントローラ間の通信ネットワークであって、それによってマスタ・コントローラのうちのそれぞれが、他のマスタ・コントローラからリモート警報を受信するように構成され、リモート警報が、他のマスタ・コントローラに関連付けられた１つまたは複数のネットワーク要素内の障害を示す、通信ネットワークとを含む。各マスタ・コントローラは、ローカル警報またはリモート警報が、それらに関連付けられた障害データまたは回復データ内に含められたプロファイルに対応する場合、通信経路上のケーブル局のうちの１つまたは複数の間の通信を修正するための障害回復機能を実行するように構成される。
【００５３】
本開示の他の態様によれば、分散型障害感知および回復用に構成された通信システムが提供される。このシステムは、複数のケーブル局と、複数のマスタ・コントローラであって、マスタ・コントローラのそれぞれがケーブル局のうちの１つに関連付けられ、ケーブル局のそれぞれが、通信経路に沿った他のケーブル局と通信するように構成され、各マスタ・コントローラが、それらと関連付けられた１つまたは複数のネットワーク要素内の障害を示すローカル警報を受信するように構成され、各マスタ・コントローラには、関連付けられた障害データおよび回復データが提供される、複数のマスタ・コントローラと、それぞれのマスタ・コントローラ間の通信ネットワークであって、それによってマスタ・コントローラのうちのそれぞれが、他のマスタ・コントローラからリモート警報を受信するように構成され、リモート警報が、他のマスタ・コントローラに関連付けられた１つまたは複数のネットワーク要素内の障害を示す、通信ネットワークとを含む。各マスタ・コントローラは、ローカル警報またはリモート警報が、それらに関連付けられた障害データまたは回復データ内に含められたプロファイルに対応する場合、通信経路上のケーブル局のうちの１つまたは複数の間の通信を修正するための障害回復機能を実行するように構成される。
【００５４】
本開示の他の態様によれば、複数のケーブル局を含む通信システム内に障害回復を確立する方法が提供される。この方法は、各ケーブル局に関連付けられたマスタ・コントローラを提供するステップであって、各ケーブル局は、通信経路に沿って他のケーブル局と通信するように構成され、各マスタ・コントローラは、それらと関連付けられた１つまたは複数のネットワーク要素内の障害を示すローカル警報を受信するように構成され、各マスタ・コントローラには、関連付けられた障害データおよび回復データが提供される、提供するステップと、それぞれのマスタ・コントローラ間の通信ネットワークを確立するステップであって、それによってマスタ・コントローラのうちのそれぞれが、他のマスタ・コントローラからリモート警報を受信するように構成され、リモート警報が、他のマスタ・コントローラに関連付けられた１つまたは複数のネットワーク要素内の障害を示す、確立するステップと、ローカル警報またはリモート警報が、それらに関連付けられた障害データまたは回復データ内に含められたプロファイルに対応する場合、通信経路上のケーブル局のうちの１つまたは複数の間の通信を修正するための障害回復機能を実行するように各マスタ・コントローラを構成するステップとを含む。
【００５５】
しかしながら、本明細書で説明した諸実施形態は、本発明を使用するいくつかのうちの一部であり、例示のために説明されたものであって限定的なものではない。当業者であれば容易に明らかとなる多くの他の実施形態が、添付の特許請求の範囲に定義された本発明の趣旨および範囲から実質的に逸脱することなく実行可能である。
【図１】
0005640246.tif 000002
【図２Ａ】
0005640246.tif 000003
【図２Ｂ】
0005640246.tif 000004
【図２Ｃ】
0005640246.tif 000005
【図２Ｄ】
0005640246.tif 000006
【図３Ａ】
0005640246.tif 000007
【図３Ｂ】
0005640246.tif 000008
【図４】
0005640246.tif 000009
【図５】
0005640246.tif 000010